(57)【要約】【課題】  ロールパックサイレージをセットすることができるようにすると共に、該ロールパックサイレージをセットすることによって省スペース化を図り、且つ、サイレージの変質を防止できるようにした自動給餌システムを提供する。【解決手段】  走行レール１２を走行する自動給餌機１３と、該自動給餌機１３にサイレージを投入するエレベータ１４とを備えた自動給餌システム１１に於いて、前記エレベータ１４の基端部近傍にロールパックサイレージ１５を細断するためのロールパックサイレージ細断機１６を設けると共に、該ロールパックサイレージ細断機１６にロールパックサイレージ用カッター１７を設け、該ロールパックサイレージ用カッター１７によってロールパックサイレージ１５を細断し、細断したサイレージを前記エレベータ１４の基端部に供給するように構成した自動給餌システムを提供する。【選択図】  図２
2005318804.tif 000002
【特許請求の範囲】
【請求項１】
走行レールを走行する自動給餌機と、該自動給餌機にサイレージを投入するエレベータとを備えた自動給餌システムに於いて、前記エレベータの基端部近傍にロールパックサイレージを細断するためのロールパックサイレージ細断機を設けると共に、該ロールパックサイレージ細断機にロールパックサイレージ用カッターを設け、該ロールパックサイレージ用カッターによってロールパックサイレージを細断し、細断したサイレージを前記エレベータの基端部に供給するように構成したことを特徴とする自動給餌システム。
【請求項２】
上記ロールパックサイレージ細断機の上部にはロールパックサイレージを固定するための固定バーが設けられていることを特徴とする請求項１記載の自動給餌システム。
【請求項３】
上記エレベータの基端部にサイレージ貯留槽を形成したことを特徴とする請求項１又は２記載の自動給餌システム。
【請求項４】
上記エレベータの先端部近傍にサイレージの塊をくずすためのサイレージくずし棒が設けられていることを特徴とする請求項１、２又は３記載の自動給餌システム。
【請求項５】
上記エレベータの先端部にサイレージをほぐすためのサイレージほぐし用ドラムが回転自在に設けられていることを特徴とする請求項１，２，３又は４記載の自動給餌システム。
【発明の詳細な説明】
【技術分野】
【０００１】
本発明は、走行レールを走行する自動給餌機と、該自動給餌機にサイレージを投入するエレベータとを備えた自動給餌システムであって、ロールパックサイレージをセットできる自動給餌システムに関する。
【背景技術】
【０００２】
従来の此種自動給餌システムの一例を図４及び図５を用いて説明する。図４及び図５に於いて、１は自動給餌システムであり、該自動給餌システム１は、牛舎に設置された走行レール２に懸架されて走行する自動給餌機３と、該自動給餌機３にサイレージ（図示せず）を投入するエレベータ４と、サイレージを貯蔵すると共に、該サイレージを該エレベータ４に供給するサイレージストッカー（サイレージ貯蔵装置）５とを備えている。そして、前記エレベータ４はサイレージ搭載制御盤６Ａで制御されるモータ７で駆動され、前記サイレージストッカー５は該サイレージ搭載制御盤６Ａで制御されるモータ８で駆動されるように構成されている。尚、図に於いて、９は前記自動給餌機３内のサイレージが所定量になったことを検知するセンサであり、６Ｂは前記自動給餌機３を制御する給餌機本体制御盤である。
【０００３】
従来、一般にサイレージにはバンカーサイロサイレージと、ロールパックサイレージの２つの種類があり、該バンカーサイロサイレージは、草を圃場であらかじめ細かく切断し、それを牛舎近くのバンカーサイロに積み上げ、全体をビニールで包んで作成したサイレージである。該バンカーサイロサイレージは、予め細断されているので自動給餌機を利用するときには、ビニールの中からサイレージを取り出し、そのままサイレージストッカーに投入すれば良い。
【０００４】
又、前記ロールパックサイレージは草を細かく切断せずに、長いまま円柱状に巻きつけて保存するタイプのサイレージであり、円柱状の草はビニールで梱包する。該ロールパックサイレージは、草が長いままであるため、そのままでは給餌が不可能であり、給餌前に細断する必要がある。
【０００５】
従って、前記サイレージストッカー５にサイレージを投入する時、前記バンカーサイロサイレージを用いる場合は、該バンカーサイロサイレージのビニールの中からサイレージを取り出してそのまま投入し、前記ロールパックサイレージを用いる場合は、ビニールを取り除いた後、投入前に細断して投入する。
【０００６】
而して、前記サイレージストッカー５に前記バンカーサイロサイレージのサイレージ又は前記ロールパックサイレージを細断したサイレージの１日分を投入しておくと、前記サイレージ搭載制御盤６Ａによって制御されたモータ８，７によって、設定された時刻に、サイレージストッカー５、エレベータ４が夫々自動的に駆動されてサイレージを自動給餌機３に搭載し、前記センサ９によって該自動給餌機３内に所定量のサイレージが搭載されたことが検知されると前記サイレージストッカー５、エレベータ４の駆動が停止し、次に、該自動給餌機３が走行レール２に案内されて走行し、各牛の前まで移動して自動給餌する。
【０００７】
尚、前記ロールパックサイレージを使用する場合に於いて、該ロールパックサイレージを細断するためのカッター（図示せず）はトラクターの駆動源を用いたトラクター駆動によって作動するように構成されている。
【０００８】
又、特許文献１にも飼料の給餌量の算出と払出しが容易に行える自動給餌装置が記載されている。
【特許文献１】特開平９−２７５８４０号公報
【発明の開示】
【発明が解決しようとする課題】
【０００９】
前述したように、サイレージにはバンカーサイロサイレージと、ロールパックサイレージの２つの種類があり、特に、ロールパックサイレージを用いる時、人手で給餌する場合、ロールパックサイレージを荒切りすればよいため、切断にそれ程、時間が掛からないが、上述した自動給餌システムを利用する場合は、自動給餌機が目詰まり等を起さないようにサイレージをかなり細かく切断する必要がある。そして、細かく切れば切るほど切断に時間を要するという問題があり、細断に時間がかかれば自動給餌システムによる省力効果は半減する。
【００１０】
このため、従来、ロールパックサイレージは自動給餌システムには向かないとされていた。
然しながら、ロールパックサイレージを自動給餌システムにセットできれば、ロールパックサイレージはコンパクトであるため、省スペース化が図れると共に、サイレージストッカーが不要となり、牛舎の天井高さを低くできる等の利点がある。
【００１１】
又、一日分のサイレージを細断して放置すると、サイレージが空気と触れて再醗酵する虞があるが、ロールパックサイレージのまま保存し、必要時に必要な分だけ細断すればサイレージの変質の虞が少なくなる利点がある。
【００１２】
以上の現状に鑑み、本発明の目的は、ロールパックサイレージをセットすることができるようにすると共に、該ロールパックサイレージをセットすることによって省スペース化を図り、且つ、サイレージの変質を防止できるようにした自動給餌システムを提供する。
【課題を解決するための手段】
【００１３】
上記の課題を解決すべく、本発明は以下の構成を提供する。
請求項１に係る発明は、走行レールを走行する自動給餌機と、該自動給餌機にサイレージを投入するエレベータとを備えた自動給餌システムに於いて、前記エレベータの基端部近傍にロールパックサイレージを細断するためのロールパックサイレージ細断機を設けると共に、該ロールパックサイレージ細断機にロールパックサイレージ用カッターを設け、該ロールパックサイレージ用カッターによってロールパックサイレージを細断し、細断したサイレージを前記エレベータの基端部に供給するように構成したことを特徴とする自動給餌システムを提供するものである。
【００１４】
請求項２に係る発明は、上記ロールパックサイレージ細断機の上部にはロールパックサイレージを固定するための固定バーが設けられていることを特徴とする請求項１記載の自動給餌システムを提供するものである。
【００１５】
請求項３に係る発明は、上記エレベータの基端部にサイレージ貯留槽を形成したことを特徴とする請求項１又は２記載の自動給餌システムを提供するものである。
【００１６】
請求項４に係る発明は、上記エレベータの先端部近傍にサイレージの塊をくずすためのサイレージくずし棒が設けられていることを特徴とする請求項１、２又は３記載の自動給餌システムを提供するものである。
【００１７】
請求項５に係る発明は、上記エレベータの先端部にサイレージをほぐすためのサイレージほぐし用ドラムが回転自在に設けられていることを特徴とする請求項１，２，３又は４記載の自動給餌システムを提供するものである。
【発明の効果】
【００１８】
本発明の請求項１記載の発明によれば、エレベータの基端部近傍にロールパックサイレージを細断するためのロールパックサイレージ細断機を設けると共に、該ロールパックサイレージ細断機にロールパックサイレージ用カッターを設け、該ロールパックサイレージ用カッターによってロールパックサイレージを細断し、細断したサイレージを前記エレベータの基端部に供給するように構成した自動給餌システムを提供するので、前記自動給餌システムは、ロールパックサイレージ細断機を備えていることにより、ロールパックサイレージを細断できると共に、ロールパックサイレージをセットできることにより、サイレージストッカーを不要として、省スペース化を可能にし、且つ、該ロールパックサイレージは必要分だけ細断することができるのでサイレージの変質を防止することができる。
【００１９】
請求項２記載の発明によれば、上記ロールパックサイレージ細断機の上部にはロールパックサイレージを固定するための固定バーが設けられているので請求項１記載の発明の効果に加え、固定バーによってロールパックサイレージを固定することができる。
【００２０】
請求項３記載の発明によれば、上記エレベータの基端部にサイレージ貯留槽を形成したので請求項１又は２記載の発明の効果に加え、所定量のサイレージを前記サイレージ貯留槽に貯留することができる。
【００２１】
請求項４に係る発明は、上記エレベータの先端部近傍にサイレージの塊をくずすためのサイレージくずし棒が設けられているので、請求項１、２又は３記載発明の効果に加え、該サイレージくずし棒によってエレベータを上昇するサイレージの塊をくずすことができる。
【００２２】
請求項５記載の発明によれば、上記エレベータの先端部にサイレージをほぐすためのサイレージほぐし用ドラムが回転自在に設けられているので請求項１，２，３又は４記載発明の効果に加え、該サイレージほぐし用ドラムの回転によってサイレージを細かくほぐすことができる。
【発明を実施するための最良の形態】
【００２３】
以下、実施例を示した図面を参照しつつ本発明の実施の形態を説明する。
図１及び図２に於いて、１１は牛舎内等に設置される本発明の自動給餌システムであり、該自動給餌システム１１は、牛舎内に設置された走行レール１２に懸架されて走行し、各牛の前まで移動して自動給餌するよう構成された自動給餌機１３と、該自動給餌機１３がサイレージ搭載位置に移動した時、該自動給餌機１３の上端のサイレージ供給口１３ａから該自動給餌機１３にサイレージ（図示せず）を投入するエレベータ１４とを備えると共に、該エレベータ１４の基端部近傍に、ロールパックサイレージ１５を細断するためのロールパックサイレージ細断機１６が設けられ、該ロールパックサイレージ細断機１６にロールパックサイレージ用カッター１７が設けられている。
【００２４】
そして、前記ロールパックサイレージ細断機１６の側部には該ロールパックサイレージ用カッター１７で細断したサイレージを前記エレベータ１４の基端部に排出できるように該エレベータ１４に向かって突出するスロープ状の排出部１６ａが形成されている。
【００２５】
又、前記ロールパックサイレージ細断機１６の上部にはロールパックサイレージ１５を固定するための固定バー１８Ａ，１８Ｂが回転自在に設けられている。
【００２６】
更に、図３に示すように、前記エレベータ１４の基端部には、水平部分の丈を高くして所定量のサイレージを貯留可能なサイレージ貯留槽１９が形成され、該エレベータ１４の先端部近傍にはサイレージの塊をくずすためのサイレージくずし棒２０が設けられ、該エレベータ１４の先端部に、所定間隔離間する２枚の円盤に複数の棒が架設されてドラム状に形成されたサイレージをほぐすためのサイレージほぐし用ドラム２１が回転自在に設けられている。
【００２７】
更に又、前記エレベータ１４及びロールパックサイレージ用カッター１７は夫々第１モータ２２、第２モータ２３によって駆動され、該モータ２２，２３は給餌時間等に合わせたプログラムが搭載されたサイレージ搭載拡張制御盤２４Ａによって制御されるように構成されている。又、給餌機本体制御盤２４Ｂは前記自動給餌機１３を制御するように構成されている。
【００２８】
そして、該サイレージ搭載拡張制御盤２４Ａには、前記走行レール１２に設置され、該自動給餌機１３内のサイレージの量を検知するセンサ２５が接続されている。尚、該自動給餌機１３には別に重量計（図示せず）を搭載し、該重量計によってもサイレージ量を測定できるように構成することもできる。
【００２９】
又、前記給餌機１３の上端には前記走行レール１２に懸架して走行するための走行ユニット１３ｂ，１３ｂが設けられ、該給餌機１３内は区画されてサイレージタンク１３ｃと、配合飼料タンク１３ｄと、計量・排出ユニット１３ｅとが形成されている。
【００３０】
而して、前記自動給餌システム１１のロールパックサイレージ細断機１６にロールパックサイレージ１５を載置し、固定バー１８Ａ，１８Ｂで固定しておく。そして、給餌時間になると、前記サイレージ搭載拡張制御盤２４Ａ内に予めセットされたプログラム、即ち、牛の給餌時間に合わせて設定された各機器の駆動プログラムに基づきサイレージが搭載される。
【００３１】
即ち、該サイレージ搭載拡張制御盤２４Ａからの指令信号により、前記第２モータ２３が駆動されて、前記ロールパックサイレージ用カッター１７が起動し、ロールパックサイレージ１５を必要分だけ、例えば、前記自動給餌機１３の一回の給餌量分だけ細断する。細断されたサイレージは該ロールパックサイレージ細断機１６に形成された排出部１６ａを滑り落ちて前記サイレージ貯留槽１９内に貯留される。
【００３２】
そして、前記自動給餌機１３がサイレージ搭載位置で停止している時、前記サイレージ搭載拡張制御盤２４Ａからの指令信号により、前記第１モータ２２が駆動されて、前記エレベータ１４が起動し前記サイレージ貯留槽１９に貯留されたサイレージが該エレベータ１４によって上方に搬送される。
【００３３】
該エレベータ１４の先端近傍にはサイレージくずし棒２０が設けられ、先端部にはサイレージほぐし用ドラム２１が設けられているので、該エレベータ１４によって上方に搬送されるサイレージは塊がある場合、該サイレージくずし棒２０によってくずされ、更に、前記サイレージほぐし用ドラム２１の回転によりサイレージがほぐされ、該サイレージは該エレベータ１４の上端から前記自動給餌機１３のサイレージ供給口１３ａを介してサイレージタンク１３ｃ内に投入される。
【００３４】
そして、該自動給餌機１３内に所定量のサイレージが投入されると前記センサ２５、或いは、前記重量計によって検知され、該センサ２５、或いは、重量計の検知信号は前記サイレージ搭載拡張制御盤２４Ａに送信されて該サイレージ搭載拡張制御盤２４Ａは前記エレベータ１４に停止信号を出力する。
【００３５】
一方、前記給餌機１３は該エレベータ１４によるサイレージの投入が終了した後、給餌時間等の特定時間に前記給餌機本体制御盤２４Ｂによる制御により前記走行レール１２に懸架されて走行し、該走行中に、サイレージタンク１３ｃ内のサイレージと、予め、前記配合飼料タンク１３ｄ内に貯留された配合飼料とが、前記計量・排出ユニット１３ｅによって所定の割合に計量され、前記給餌機１３が牛の前に停止した時、該計量・排出ユニット１３ｅから計量されたサイレージと配合飼料とが牛の前に排出され自動給餌される。
【００３６】
更に、同様の走行と、計量と、排出とが繰り返され、各牛に自動給餌がなされ、全ての牛への給餌が終了した時、或いは、前記給餌機１３内のサイレージがなくなった時、該給餌機１３はサイレージ搭載位置に戻ってくる。
【００３７】
そして、前記自動給餌機１３の作動は、前記給餌機本体制御盤２４Ｂのプログラムに基づき繰り返される。
斯くして、前記自動給餌システム１１は、ロールパックサイレージ１５をロールパックサイレージ細断機１６に載置して（セットして）そのまま処理するよう構成されているから、下記の効果を奏する。
【００３８】
即ち、ロールパックサイレージ１５を円柱状のまま必要分だけ細断するのでサイレージストッカーを設ける必要がない。
従来のサイレージストッカーは大きなスペースを必要とするが、サイレージストッカーがなければその分省スペース化が図れる。又、従来サイレージストッカーは背の高い施設となるが、サイレージストッカーへのサイレージ投入はサイレージストッカー上部から行うため、更に投入するスペースを加えた高さが必要となる。
【００３９】
然しながら、前記自動給餌システム１１は、ロールパックサイレージ１５をロールパックサイレージ細断機１６に載置して、そのままの状態で処理できるので、サイレージストッカーを設置する必要がなく、又、サイレージストッカーへの投入スペースも不要であるため、牛舎を天井高にする必要がない。
【００４０】
又、前記自動給餌システム１１は、ロールパックサイレージ１５を給餌する直前に細断するよう構成されているので、下記の効果を奏する。
即ち、機械スペースだけでなく、サイレージの容量自体が小さくて済む。つまり、ロールパックサイレージは草がきつく巻かれているので密度も高く場所をとらない。そして、給餌直前に細断するため、コンパクトなロールパックサイレージのメリットを生かせる。然しながら、従来のように１日分をまとめて細断したり、バンカーサイロサイレージを利用する場合は、細断したサイレージは空気を含んで膨張しており、場所をとることになる。
【００４１】
更に、従来のように１日分のサイレージを細断し放置すると、サイレージが空気と触れて再発酵する虞があるが、本発明は必要時に必要分だけ細断するのでサイレージが変質する虞がない。
【００４２】
又、前記ロールパックサイレージ細断機１６によって、ロールパックサイレージ１５が自動的に細断されるよう構成されているから、下記の効果を奏する。
即ち、ロールパックサイレージ１５を自動給餌機１３で給餌する場合は、サイレージの切断長は２ｃｍ程度に細断する必要がある。
【００４３】
自動給餌機１３を利用しない場合のロールパックサイレージ１５のサイレージ切断長は１０〜２０ｃｍの荒切断で良いが、この場合は、１回の給餌分の切断にかかる時間は１５分程度である。
【００４４】
しかし、ロールパックサイレージ１５を自動給餌機１３で利用するためには２ｃｍ程度に細断する必要があり、１回の給餌分の切断時間は１時間程度必要となる。
【００４５】
即ち、省力化のために導入した自動給餌機１３を使う準備のために、逆に長時間を要することになり、省力効果が相殺されてしまう。
然しながら、前記自動給餌システム１１はロールパックサイレージ１５をロールパックサイレージ細断機１６にセットしておくだけで良く、例えば、１回の給餌分を２ｃｍ程度に細断するのに１時間かかっても、給餌時間に合わせて予めその時間を前記サイレージ搭載拡張制御盤２４Ａに設定しておけば給餌時間前に細断が終了するため、ロールパックサイレージ細断機１６の細断時間は前記自動給餌システム１１の省力化に支障を来たさない。
【００４６】
逆に言えば、時間を気にせずに充分短く細断することができるので、機械トラブルを起こす心配がない。
このように、前記自動給餌システムは、ロールパックサイレージをセットしてトラブル無く用いることができると共に、ロールパックサイレージを用いることにより、省スペース化を可能にし、且つ、サイレージの変質を防止することができる。
【００４７】
又、前記ロールパックサイレージ細断機１６の上部にはロールパックサイレージ１５を固定するための固定バー１８が回転自在に設けられているので、固定バー１８を回転させて該ロールパックサイレージ１５を確実に固定することができる。
【００４８】
更に、前記エレベータ１４の基端部にサイレージ貯留槽１９を形成したので所定量のサイレージ、例えば、１回の給餌分のサイレージを前記サイレージ貯留槽１９に貯留させることができる。
【００４９】
更に又、該サイレージ貯留槽１９によって、ロールパックサイレージ１５を細断した後、新しいロールパックサイレージ１５をセットするまでの時間の余裕がもてると共に、自動給餌機１３が給餌中に、ロールパックサイレージ１５の細断ができる。このため時間の無駄がなく、効率的な給餌が可能となる。
【００５０】
そして、エレベータ１４の先端部近傍にサイレージの塊をくずすためのサイレージくずし棒２０が設けられているので該サイレージくずし棒２０によってエレベータ１４を上昇するサイレージの塊をくずすことができる。従って、サイレージが塊で自動給餌機１３に搭載されるのを防ぐことができる。
【００５１】
又、エレベータ１４の先端部にサイレージをほぐすためのサイレージほぐし用ドラム２１が回転自在に設けられているので該サイレージほぐし用ドラム２１の回転によってサイレージを細かくほぐすことができる。
【００５２】
尚、前記サイレージ搭載拡張制御盤２４Ａに、前述のロールパックサイレージ１５を細断終了した時点で、ユーザの携帯電話へその旨通知する機能を搭載することも可能であり、或いは、前記自動給餌システム１１の各機器の異常発生時に携帯電話にその旨を通知する機能を搭載することも可能である。そして、その通知機能は、予め録音された音声メッセージ等を音声によって通知するものであっても良く、予め作成されたメールをメール送信によって通知するものであっても良い。
【図面の簡単な説明】
【００５３】
【図１】本発明の一実施の形態を示し、自動給餌システムの平面図。
【図２】本発明の一実施の形態を示し、自動給餌システムの正面図。
【図３】図１に示すエレベータとサイレージ貯留槽の側面図。
【図４】従来例を示し、自動給餌システムの平面図。
【図５】従来例を示し、自動給餌システムの正面図。
【符号の説明】
【００５４】
１１  自動給餌システム
１２  走行レール
１３  自動給餌機
１４  エレベータ
１５  ロールパックサイレージ
１６  ロールパックサイレージ細断機
１７  ロールパックサイレージ用カッター
１８Ａ，１８Ｂ  固定バー
１９  サイレージ貯留槽
２０  サイレージくずし棒
２１  サイレージほぐし用ドラム
【図１】
2005318804.tif 000003
【図２】
2005318804.tif 000004
【図３】
2005318804.tif 000005
【図４】
2005318804.tif 000006
【図５】
2005318804.tif 000007